(57)【要約】    【課題】  省スペース、省エネルギー、低コストでありながら各種の情報表示を行うことを可能にする。    【解決手段】  板状の自己発光型表示装置２と、該自己発光型表示装置２に重ね合わせられて配置された板状の非自己発光型表示装置１とを備えた撮像装置用複合表示装置において、撮影者の指示に従って自己発光型表示装置２に第１の情報を所定期間に亘って表示する一方、非自己発光型表示装置１に第２の情報を前記所定期間以外の期間において表示するようにする。また、撮影者の指示に従って前記第２の情報を自己発光型表示装置２に所定期間に亘って表示する。【選択図】      図１
2006279564.tif 000002
【特許請求の範囲】
【請求項１】
板状の自己発光型表示手段と、
前記自己発光型表示手段に重ね合わせられて配置された板状の非自己発光型表示手段と、
撮影者の指示に従って第１の情報を前記自己発光型表示手段に所定期間に亘って表示するための第１の制御手段と、
第２の情報を前記非自己発光型表示手段に前記所定期間以外の期間において表示するための第２の制御手段と
を有することを特徴とする撮像装置用複合表示装置。
【請求項２】
前記第１の情報は、撮影後に撮影内容を確認するために供される情報と、撮影ごとには変化しない情報であって、撮像装置に対して設定される複数の設定情報とのうちの少なくとも１つであることを特徴とする請求項１記載の撮像装置用複合表示装置。
【請求項３】
前記第２の情報は、撮影ごとに変化し得る情報であって、撮像条件を示す情報であることを特徴とする請求項１記載の撮像装置用複合表示装置。
【請求項４】
撮影者の指示に従って前記第２の情報を前記自己発光型表示手段に所定期間に亘って表示するための第３の制御手段を更に有することを特徴とする請求項１記載の撮像装置用複合表示装置。
【請求項５】
前記自己発光型表示手段は、エレクトロルミネッセンス素子を用いた表示装置であることを特徴とする請求項１記載の撮像装置用複合表示装置。
【請求項６】
前記非自己発光型表示手段は、液晶を用いた表示装置であることを特徴とする請求項１記載の撮像装置用複合表示装置。
【請求項７】
自己発光型表示手段と、
前記自己発光型表示手段に重ね合わせられて配置された非自己発光型表示手段と、
第１の情報を前記自己発光型表示手段に所定期間に亘って表示するための第１の制御手段と、
第２の情報を前記非自己発光型表示手段に前記所定期間以外の期間において表示するための第２の制御手段と
を有することを特徴とする複合表示装置。
【請求項８】
板状の自己発光型表示手段と、前記自己発光型表示手段に重ね合わせられて配置された板状の非自己発光型表示手段とを備えた撮像装置用複合表示装置に適用される表示制御方法において、
撮影者の指示に従って第１の情報を前記自己発光型表示手段に所定期間に亘って表示する第１の制御ステップと、
第２の情報を前記非自己発光型表示手段に前記所定期間以外の期間において表示する第２の制御ステップと
を有することを特徴とする表示制御方法。
【請求項９】
撮影者の指示に従って前記第２の情報を前記自己発光型表示手段に所定期間に亘って表示する第３の制御ステップを更に有することを特徴とする請求項８記載の表示制御方法。
【請求項１０】
自己発光型表示手段と、前記自己発光型表示手段に重ね合わせられて配置された非自己発光型表示手段とを備えた複合表示装置に適用される表示制御方法において、
第１の情報を前記自己発光型表示手段に所定期間に亘って表示するための第１の制御ステップと、
第２の情報を前記非自己発光型表示手段に前記所定期間以外の期間において表示するための第２の制御ステップと
を有することを特徴とする表示制御方法。
【発明の詳細な説明】
【技術分野】
【０００１】
本発明は、撮像装置用複合表示装置、複合表示装置、及び表示制御方法に関し、特に、撮像装置に各種の情報を表示するための撮像装置用複合表示装置、各種の情報を表示するための複合表示装置、並びに該撮像装置用複合表示装置および該複合表示装置に適用される各表示制御方法に関する。
【背景技術】
【０００２】
近年、撮像装置においては、撮影機能の多様化に対応して、各種の撮影条件を示す撮影情報、撮影された画像、撮像装置に対する各種設定情報といった多数の情報を、撮像装置の背面に設けた表示装置に表示することが行われている（例えば、特許文献１参照）。
【０００３】
図７は、従来の撮像装置の背面の一例を示す図である。
【０００４】
図７に示すように、従来の撮像装置では、例えば、撮像装置本体２７の背面に再生・設定モード表示部３０や撮影モード表示部３１といった複数の表示部が設けられている。再生・設定モード表示部３０には、撮像装置によって撮影された画像（再生画像）、該画像に関する撮影条件情報、撮像装置に対する各種設定情報などが表示される。撮影モード表示部３１には、撮像装置の撮影条件を示す種々の撮影情報が表示される。
【０００５】
再生・設定モード表示部３０に表示される再生画像、撮影条件情報、各種設定情報は、画像や文字からなる複雑な表示内容であり（例えば、再生画像やその拡大・縮小画像、撮影・再生設定のメニュー画面など）、撮影者に認識し易いカラー表示であることが望ましい。この表示には、細部にわたる鮮明な画像をフルカラーで表示可能なＴＦＴ（Thin Film Transistor）液晶やＥＬ（Electronic Luminescence）素子などが用いられる。
【０００６】
一方、撮影モード表示部３１に表示される種々の撮影情報は、記号やマークといった簡単なセグメントにより表現され、単一色でも表現可能な情報である。例えば、絞り値や露出補正レベル表示、電池残量表示などである。この表示には、低コスト・省電力なＴＮ（Twisted Nematic）液晶やＳＴＮ（Super-Twisted Nematic）液晶等が用いられ、撮像装置によっては、暗所でも視認可能とするための照明装置が備えられる場合もある。
【特許文献１】特開２００２−３５１３４２号公報
【発明の開示】
【発明が解決しようとする課題】
【０００７】
しかしながら、上記従来の撮像装置では、再生画像、撮影条件情報、各種設定情報を表示するには再生・設定モード表示部３０（ＴＦＴ液晶やＥＬ素子）が、種々の撮影情報を表示するには撮影モード表示部３１（ＴＮ液晶やＳＴＮ液晶）が別々に必要であり、そうした複数の表示部のための表示スペースも必要であった。さらに、ＴＮ液晶等で構成される撮影モード表示部３１では、表示を暗所でも視認可能とするために照明装置を必要とし、こうした照明装置の設置スペースも確保しなければならなかった。
【０００８】
また、ＴＦＴ液晶等を用いて撮影情報等の常時表示を行う構成の撮像装置があるが、こうした撮像装置では、常に照明装置が駆動されており、電力の消費が多大となる。
【０００９】
このように、表示装置の数が増えると、また照明装置の数が増えると、それらの設置スペースや消費電力が増え、また撮像装置の製造コストが上昇するという問題があった。
【００１０】
本発明はこのような問題点に鑑みてなされたものであって、省スペース、省エネルギー、低コストでありながら各種の情報表示を行うことを可能にした撮像装置用複合表示装置、複合表示装置、及び表示制御方法を提供することを目的とする。
【課題を解決するための手段】
【００１１】
上記目的を達成するために、請求項１記載の発明によれば、板状の自己発光型表示手段と、前記自己発光型表示手段に重ね合わせられて配置された板状の非自己発光型表示手段と、撮影者の指示に従って第１の情報を前記自己発光型表示手段に所定期間に亘って表示するための第１の制御手段と、第２の情報を前記非自己発光型表示手段に前記所定期間以外の期間において表示するための第２の制御手段とを有することを特徴とする撮像装置用複合表示装置が提供される。
【００１２】
また、請求項７記載の発明によれば、自己発光型表示手段と、前記自己発光型表示手段に重ね合わせられて配置された非自己発光型表示手段と、第１の情報を前記自己発光型表示手段に所定期間に亘って表示するための第１の制御手段と、第２の情報を前記非自己発光型表示手段に前記所定期間以外の期間において表示するための第２の制御手段とを有することを特徴とする複合表示装置が提供される。
【００１３】
また、請求項８記載の発明によれば、板状の自己発光型表示手段と、前記自己発光型表示手段に重ね合わせられて配置された板状の非自己発光型表示手段とを備えた撮像装置用複合表示装置に適用される表示制御方法において、撮影者の指示に従って第１の情報を前記自己発光型表示手段に所定期間に亘って表示する第１の制御ステップと、第２の情報を前記非自己発光型表示手段に前記所定期間以外の期間において表示する第２の制御ステップとを有することを特徴とする表示制御方法が提供される。
【００１４】
また、請求項１０記載の発明によれば、自己発光型表示手段と、前記自己発光型表示手段に重ね合わせられて配置された非自己発光型表示手段とを備えた複合表示装置に適用される表示制御方法において、第１の情報を前記自己発光型表示手段に所定期間に亘って表示するための第１の制御ステップと、第２の情報を前記非自己発光型表示手段に前記所定期間以外の期間において表示するための第２の制御ステップとを有することを特徴とする表示制御方法が提供される。
【発明の効果】
【００１５】
本発明によれば、自己発光型表示手段と、該自己発光型表示手段に重ね合わせられて配置された非自己発光型表示手段とを備えた撮像装置用複合表示装置または複合表示装置において、撮影者の指示に従って第１の情報を前記自己発光型表示手段に所定期間に亘って表示する一方、第２の情報を前記非自己発光型表示手段に前記所定期間以外の期間において表示するようにする。
【００１６】
また、撮影者の指示に従って前記第２の情報を前記自己発光型表示手段に所定期間に亘って表示する。
【００１７】
これにより、省スペース、省エネルギー、低コストでありながら各種の情報表示を行うことを実現した撮像装置用複合表示装置または複合表示装置が提供される。
【発明を実施するための最良の形態】
【００１８】
以下、本発明を実施するための最良の形態について、図面を参照して説明する。
【００１９】
図１は、本発明の一実施の形態に係る撮像装置用複合表示装置の構成を示す断面図である。
【００２０】
本撮像装置用複合表示装置は、非自己発光型表示装置１と自己発光型表示装置２とから構成され、両者が互いに重ね合わせられて配置される。非自己発光型表示装置１は、例えば液晶表示装置（ＬＣＤ）により構成され、自己発光型表示装置２は、例えばエレクトロルミネッセンス・ライト（ＥＬ）により構成される。非自己発光型表示装置１は、上偏光板３、液晶表示装置（ＬＣＤ）上基材４、ＬＣＤ上電極５、液晶層６、ＬＣＤ下電極７、基材８からなり、自己発光型表示装置２は、基材８、ＥＬ電極９、発光体層１０、ＥＬ背面電極層１１、下偏光板１２からなる。プリント配線板１３ａはＬＣＤ下電極７に接続され、プリント配線板１３ｂはＥＬ電極９に接続される。非自己発光型表示装置１及び自己発光型表示装置２は、プリント配線板１３ａ及びプリント配線板１３ｂに搭載された駆動回路及び制御装置によって表示動作可能となる。なお、詳細は後述するが、非自己発光型表示装置１及び自己発光型表示装置２は、同時に駆動することがないように制御される。
【００２１】
図２は、図１に示す自己発光型表示装置２に表示される再生画像画面の一例を示す図である。
【００２２】
図２において、１４は、撮像装置によって撮影された画像を再生表示するための再生画像表示部である。１５は、再生画像表示部１４に表示された再生画像のヒストグラム情報（明部から暗部までの輝度を分布表示したもの）を表示するためのヒストグラム情報表示部である。１６は、再生画像表示部１４に表示された再生画像が撮影されたときの撮影条件等を表示するための撮影条件表示部である。１７は、再生画像表示部１４に表示された再生画像が撮影された日時を表示するための日時表示部である。１８は、再生画像表示部１４に表示された再生画像の記録ファイル名称を表示するための記録ファイル名称表示部である。
【００２３】
なお、自己発光型表示装置２に表示される再生画像画面における表示内容は、図２に例示する表示部１４〜１８に限らず、撮像装置ごとに多種多様な表示内容が設定され得る。
【００２４】
表示部１４〜１８のうち再生画像表示部１４に表示されるべき再生画像は、撮影者が行った撮影の結果得られた画像の出来栄えなどを確認するために用いられるため、拡大表示や縮小表示といった機能が備えられるとともに、細部にわたり鮮明なフルカラー画像が表示されることが要求される。また、表示部１５〜１８においては、幾何学化された形状の情報や文字・記号等の情報を同時に複数、限られた表示スペースにおいて表示できるようにするため、細部にわたった鮮明な画像表示が要求される。
【００２５】
こうした自己発光型表示装置２に表示される再生画像画面における表示内容は、撮影後に撮影された画像の良否を確認するために必要な情報であり、撮影者にとって常時表示されている必要はないものである。そこで、こうした再生画像画面の表示を、エレクトロルミネッセンス（ＥＬ）素子等を用いた自己発光型表示装置２によって行うようにする。これにより、細部にわたる鮮明なフルカラー画像表示が行われる。
【００２６】
図３は、図１に示す自己発光型表示装置２に表示される各種設定画面の一例を示す図である。自己発光型表示装置２では、撮影者の操作によって、図２に示す再生画像画面の他に、こうした各種設定画面も表示される。
【００２７】
図３において１９は、撮像装置に対して設定されるべき複数の設定項目の設定項目群であり、２０は、設定項目群１９のうち、撮影者がたまたま設定カーソルを移動した設定項目であり、この設定項目に対して任意の設定が可能となる。２１は、画面遷移のために設けられた画面遷移ボタンであり、複数の階層からなる各種設定画面のうちの現在の設定画面から１つ上の階層の設定画面に戻るための操作ボタンである。設定カーソルを画面遷移ボタン２１に移動して操作した場合は、現在の設定画面から１つ上の階層の設定画面に画面遷移する。
【００２８】
図３に示す各種設定画面は、撮像装置に備えられた複数の機能を撮影者が任意に設定するための画面であり、多種多様な設定内容が設定可能となっている。そのため、文字、記号等の表示を認識可能な限り小さくし、また複数の階層からなる画面で構成して、複数の画面を画面遷移ボタン２１の操作によって移動できるようにしている（スクロールといった表示遷移であってもよい）。こうした各種設定画面は、撮影者が設定し易い画面表示でなければならず、細部にわたる鮮明な表示が要求される。一方、各種設定画面での表示内容は、撮影の都度、変更を加えられるような内容ではないので、撮影者にとって、常時表示されている必要はない。
【００２９】
そこで、本実施の形態では、各種設定画面の表示も、エレクトロルミネッセンス（ＥＬ）素子等を用いた自己発光型表示装置２によって行うようにしている。
【００３０】
図４は、図１に示す非自己発光型表示装置１に表示される撮影情報画面の一例を示す図である。
【００３１】
図４において２２は、撮像装置に設けられた各種撮影モードを表す符号である。各符号が１つのセグメントとして設けられている。２３は、シャッタ速度や絞り値、撮影枚数等を表わす数字であり、またエラー表示や警告情報等を表わす英字である。８の字に並べられた７つのセグメントによって任意の英数字が表示される。２４は、撮像装置に設けられた撮影タイミングに関連する情報を表す記号である。各記号が１つのセグメントとして設けられている。２５は、撮像装置に設けられた露出レベルや補正量等を表わす目盛りである。各目盛りが１つのセグメントとして設けられている。２６は、撮像装置に搭載された電池の残量表示マークである。このマークは１つのセグメントとして設けられている。
【００３２】
図４に示す撮影情報画面に表示される符合、英数字、記号は、撮影毎に変化する情報を表わすために使用される。こうした情報は、撮影者が撮影の都度、確認したい情報であり、また文字、記号、マーク等の簡単なセグメントにより表現可能な情報であるとともに、単一色で表現可能な情報である。そして、細部にわたる鮮明な表示は必要ではなく、特に撮影前後において常時表示されることが要求される情報である。そのため、本実施の形態においては、こうした撮影情報画面を、ＴＮ型液晶等を用いた非自己発光型表示装置１によって行うようにする。これにより、省エネルギー、低コストの構成で常時表示を実現できる。
【００３３】
ところで、本実施の形態では、図４に示す撮影情報画面と同一内容の画面を、自己発光型表示装置２によっても表示できるようにする。すなわち、撮影情報画面は、暗所においても視認可能でなければならない。そのため、撮影情報画面と同一内容の画面を、エレクトロルミネッセンス（ＥＬ）等を用いた自己発光型表示装置２によっても、非自己発光型表示装置１による表示と略同位置に表示できるようにして、暗所においても撮影者による操作によって撮影前後に視認できるようにする。これにより、不要なエネルギーを使うことなく、また撮影者に違和感を与えることなく、暗所での撮影情報表示を行うことが可能となる。
【００３４】
図５は、図２に示す再生画像画面が自己発光型表示装置２に表示された撮像装置の背面を示す図である。図６は、図４に示す撮影情報画面が非自己発光型表示装置１に表示された撮像装置の背面を示す図である。
【００３５】
図５及び図６において、２７は撮像装置本体である。２８は、自己発光型表示装置２によって再生画像画面が表示された再生・設定モード表示部である。２９は、非自己発光型表示装置１によって撮影情報画面が表示される撮影モード表示部である。なお、撮影モード表示部２９は、暗所でも視認可能な撮影情報画面が自己発光型表示装置２によって表示される撮影モード表示部も兼ねる。
【００３６】
本実施の形態における撮像装置における表示モードは、再生・設定モードと撮影モードとからなる。再生・設定モードでは、撮影時以外の任意のタイミングであって、撮影者によって撮像装置に対して操作が行なわれたタイミングにおいて、図２に示す再生画像画面や図３に示す各種設定画面が、自己発光型表示装置２によって所定期間に亘って表示される。この所定期間は、上記タイミングから第１の所定時間が経過する期間である。
【００３７】
撮影モードでは、図４に示す撮影情報画面が、再生画像画面や各種設定画面が表示されている上記の所定期間以外の期間において、非自己発光型表示装置１によって継続的に表示される。なお撮影モードでは、暗所のために撮影者によって操作が行われた場合には、図４に示す撮影情報画面と同一内容の画面が、自己発光型表示装置２によって所定期間に亘って表示される。この所定期間は、上記撮影者の操作が行われた時点から第２の所定時間が経過する期間である。なお、第２の所定時間は、上記の第１の所定時間と同一である場合もあり得る。
【００３８】
こうした非自己発光型表示装置１及び自己発光型表示装置２の動作制御は、撮像装置に含まれる制御装置（図示せず）によって行なわれる。該制御装置は、例えば中央演算装置（ＣＰＵ）、ＣＰＵが実行するプログラムを記憶するＲＯＭ（Read Only Memory）、ＣＰＵが演算に使用するＲＡＭ（Random Access Memory）、入出力装置等から構成される。
【００３９】
撮影者にとって、撮影モードと再生・設定モードとが同時に実行される必要はなく、したがって、自己発光型表示装置２と非自己発光型表示装置１とが重なり合った構成であって、自己発光型表示装置２と非自己発光型表示装置１とのうちの一方だけが表示動作を行うという制御方法であっても、情報表示に何ら支障が発生することはない。
【００４０】
以上のように、本実施の形態によれば、撮像装置本体２７の背面の同一位置に、非自己発光型表示装置１による撮影モード表示部２９と、自己発光型表示装置２による再生・設定モード表示部２８とを設ける。自己発光型表示装置２は、細部にわたる鮮明な表示が可能であり、一方、非自己発光型表示装置１は、省エネルギー駆動であって常時表示が可能であり、低コストで構成できる。また、これらの自己発光型表示装置２と非自己発光型表示装置１とを互いに重ね合わせて配置し、同一表示領域内で再生画像画面及び各種設定画面の表示と、撮影情報画面の表示とを交互に切り換える構成にする。これにより、撮像装置の省スペース化、低コスト化が実現する。
【００４１】
また、撮影モードにおいて、暗所のために撮影者によって操作が行われた場合には、非自己発光型表示装置１によって表示される撮影情報画面と同一画面を略同位置に、自己発光型表示装置２によって所定期間に亘って表示するので、この表示において、非自己発光型表示装置１に対する照明装置が不要となり、省エネルギー化、低コスト化を実現できる。また、撮影者に違和感を与えることなく暗所での撮影情報表示の視認性を向上させることが可能となる。
【００４２】
なお、上記の実施の形態では、撮像装置用複合表示装置を説明したが、本発明の適用は、撮像装置用の複合表示装置に限定されるものではなく、本発明は、一般の複合表示装置に適用することが可能である。
【図面の簡単な説明】
【００４３】
【図１】本発明の一実施の形態に係る撮像装置用複合表示装置の構成を示す断面図である。
【図２】図１に示す自己発光型表示装置に表示される再生画像画面の一例を示す図である。
【図３】図１に示す自己発光型表示装置に表示される各種設定画面の一例を示す図である。
【図４】図１に示す非自己発光型表示装置に表示される撮影情報画面の一例を示す図である。
【図５】図２に示す再生画像画面が自己発光型表示装置に表示された撮像装置の背面を示す図である。
【図６】図４に示す撮影情報画面が非自己発光型表示装置に表示された撮像装置の背面を示す図である。
【図７】従来の撮像装置の背面の一例を示す図である。
【符号の説明】
【００４４】
１  非自己発光型表示装置（非自己発光型表示手段）
２  自己発光型表示装置（自己発光型表示手段）
２７  撮像装置本体（第１の制御手段、第２の制御手段）
２８  再生・設定モード表示部
２９  撮影モード表示部
【図１】
2006279564.tif 000003
【図２】
2006279564.tif 000004
【図３】
2006279564.tif 000005
【図４】
2006279564.tif 000006
【図５】
2006279564.tif 000007
【図６】
2006279564.tif 000008
【図７】
2006279564.tif 000009